(57)【要約】【課題】ネットワークを介してコンテンツの配信を受ける端末装置が記録領域を無用に消費しないようにするための技術を提供すること。【解決手段】サーバ１０は、移動端末３０により送信された配信依頼データを受信した後、コンテンツ受信端末２０へ問合データを送信する（ｓ２２０）。この問合データを受信したコンテンツ受信端末２０からは、あらかじめ利用者に提供された識別データ、および、問合データそれぞれで特定されるＩＤが一致する場合のみ、応答データが送信されてくる。そして、サーバ１０は、応答データの返信を受けた場合に（ｓ２３０：ＹＥＳ）、コンテンツデータをコンテンツ受信端末２０へ送信する（ｓ２６０）。このコンテンツデータを受信したコンテンツ受信端末２０では、このコンテンツデータの記録および印刷が行われる。【選択図】図４
2004272681.tif 000002
【特許請求の範囲】
【請求項１】
コンテンツデータをネットワーク経由で配信可能なコンテンツサーバと、該コンテンツサーバにより配信されたコンテンツデータをネットワーク経由で受信可能な通信端末であるコンテンツ受信端末と、ネットワーク経由でデータ通信可能な利用者側の通信端末である利用者端末と、からなるコンテンツ提供システムであって、
前記コンテンツサーバは、
コンテンツデータを記録しているコンテンツ記録手段と、
前記利用者端末から、コンテンツデータの前記コンテンツ受信端末への配信を依頼するための配信依頼データと共に該配信依頼であることを識別するための第１識別データを受信した際、前記コンテンツ記録手段に記録されているコンテンツデータのうち前記配信依頼データにより配信を依頼されたコンテンツデータ、および、前記第１識別データを、前記コンテンツ受信端末へ送信するコンテンツ配信手段と、を備えており、
前記コンテンツ受信端末は、
あらかじめ利用者側から提供されたデータであって、前記配信依頼を識別可能な第２識別データの他に、各種データを記録可能なデータ記録手段と、
前記コンテンツサーバにより送信された前記第１識別データを受信した際、該第１識別データで識別される前記配信依頼が、前記データ記録手段により記録されている前記第２識別データで識別される前記配信依頼と同一である場合のみ、前記コンテンツサーバにより送信された前記コンテンツデータを前記データ記録手段に記録させるコンテンツ記録指令手段と、を備えており、
前記利用者端末は、
利用者の操作を受けて、前記配信依頼データと共に前記第１識別データを前記コンテンツサーバへ送信することによって、コンテンツデータの配信を依頼する配信依頼手段を、備えていることを特徴とするコンテンツ提供システム。
【請求項２】
前記コンテンツサーバにおいて、
前記コンテンツ配信手段は、前記第１識別データを送信し、その後、前記コンテンツ受信端末から前記コンテンツデータを送信してもよい旨を示す応答データを受信した場合に、該コンテンツデータを送信するように構成され、
前記コンテンツ受信端末において、
前記コンテンツ記録指令手段は、前記コンテンツサーバにより送信された前記第１識別データを受信した際、該第１識別データで識別される前記配信依頼が、前記データ記録手段により記録されている前記第２識別データで識別される前記配信依頼と同一である場合に、前記応答データを前記コンテンツサーバに送信し、その後、該コンテンツサーバから送信されてくる前記コンテンツデータを前記データ記録手段に記録させるように構成されていることを特徴とする請求項１に記載のコンテンツ提供システム。
【請求項３】
前記コンテンツ受信端末においては、
利用者に入力操作を行わせるための受信側操作手段と、
該受信側操作手段により行われる操作が、前記配信依頼を識別可能な情報を入力する操作である場合に、該入力された情報を示すデータを前記第２識別データとして、該第２識別データを前記データ記録手段に記録させる識別記録指令手段と、が備えられていることを特徴とする請求項１または２に記載のコンテンツ提供システム。
【請求項４】
前記利用者端末においては、
利用者に入力操作を行わせるための利用者側操作手段と、
該利用者側操作手段により行われる操作が、前記配信依頼を識別可能な情報を入力する操作である場合に、該入力された情報を示すデータを前記第２識別データとして、該第２識別データを前記コンテンツ受信端末へ送信する識別データ送信手段と、が備えられ、
前記コンテンツ受信端末においては、
前記利用者端末から前記第２識別データを受信した際、該第２識別データを前記データ記録手段に記録させる識別記録指令手段が備えられていることを特徴とする請求項１または２に記載のコンテンツ提供システム。
【請求項５】
前記コンテンツ受信端末は、
各種画像を印刷媒体へ印刷する印刷手段と、
前記コンテンツ記録指令手段による指令で前記データ記録手段に記録されるコンテンツデータが所定の印刷条件を満足するデータである場合に、該コンテンツデータで示される内容を印刷手段により印刷媒体へ印刷させる印刷指令手段と、を備えていることを特徴とする請求項１から４のいずれかに記載のコンテンツ提供システム。
【請求項６】
前記コンテンツ受信端末において、
前記印刷指令手段は、前記コンテンツ記録指令手段による指令で前記データ記録手段に記録されるコンテンツデータが、ウェブページまたは画像データである場合に、前記印刷条件を満足したと判定するように構成されていることを特徴とする請求項５に記載のコンテンツ提供システム。
【請求項７】
前記コンテンツ受信端末においては、
利用者に入力操作を行わせるための受信側操作手段と、
各種画像を印刷媒体へ印刷する印刷手段と、
前記コンテンツ記録指令手段による指令でデータ記録手段に記録されるコンテンツデータが、該コンテンツデータを除く他のコンテンツデータの配信を要求するために利用可能な配信要求データである場合、該配信要求データに対応づけた状態で、前記受信側操作手段による特定の操作内容を示す操作データを前記データ記録手段に記録させる操作記録指令手段と、
前記受信側操作手段により行われた操作が、前記データ記録手段に記録された前記操作データで示される操作内容に従った操作である場合に、該操作データに対応づけられた状態で前記データ記録手段に記録されている前記配信要求データを利用してコンテンツサーバにコンテンツデータの配信を要求する配信要求手段と、
該配信要求手段による要求を受けて前記コンテンツサーバから送信されたコンテンツデータを受信した際に、該コンテンツデータで示される内容を前記印刷手段により印刷媒体へ印刷させる印刷指令手段と、を備えており、
前記コンテンツサーバにおいて、
前記コンテンツ配信手段は、前記コンテンツ受信端末から、前記配信要求データに基づくコンテンツデータの配信要求を受けた際に、前記コンテンツ記録手段に記録されているコンテンツデータのうち前記配信要求を受けたコンテンツデータを、前記コンテンツ受信端末へ配信するように構成されていることを特徴とする請求項１から６のいずれかに記載のコンテンツ提供システム。
【請求項８】
前記コンテンツ受信端末において、
前記操作記録指令手段は、前記受信側操作手段により行われた操作内容を示すデータを前記操作データとして、該操作データを前記データ記録手段に記録させるように構成されていることを特徴とする請求項７に記載のコンテンツ提供システム。
【請求項９】
前記利用者端末においては、
利用者に入力操作を行わせるための利用者側操作手段と、
該利用者側操作手段により行われた操作内容を示すデータを前記操作データとして、該操作データを前記コンテンツ受信端末へ送信する操作データ送信手段と、が備えられ、
前記コンテンツ受信端末において、
前記操作記録指令手段は、前記利用者端末から前記操作データ受信した際に、該操作データを前記データ記録手段に記録させることを特徴とする請求項７に記載のコンテンツ提供システム。
【請求項１０】
前記コンテンツサーバにおいて、
前記コンテンツ配信手段は、前記利用者端末から、前記第１識別データ、前記配信依頼データ、および、前記コンテンツ受信端末の前記受信側操作手段による特定の操作内容を示す操作データを受信した際に、前記第１識別データ、コンテンツデータおよび前記操作データを、前記コンテンツ受信端末へ送信するように構成されており、
前記コンテンツ受信端末において、
前記操作記録指令手段は、前記コンテンツ記録指令手段による指令でデータ記録手段に記録されるコンテンツデータが前記配信要求データである場合、該配信要求データに対応づけた状態で、該配信要求データと共に受信した前記操作データを前記データ記録手段に記録させるように構成されており、
前記利用者端末において、
前記配信依頼手段は、利用者の操作を受けて、前記配信依頼データと共に前記第１識別データおよび前記操作データを前記コンテンツサーバへ送信することによって、コンテンツデータの配信を依頼するように構成されていることを特徴とする請求項７に記載のコンテンツ提供システム。
【請求項１１】
請求項１から請求項１０のいずれかに記載のコンテンツ提供システムを構成するコンテンツサーバとして機能する端末装置。
【請求項１２】
請求項１から請求項１０のいずれかに記載のコンテンツ提供システムを構成するコンテンツ受信端末として機能する端末装置。
【請求項１３】
請求項１から請求項１０のいずれかに記載のコンテンツ提供システムを構成する利用者端末として機能する端末装置。
【請求項１４】
請求項１から請求項１０のいずれかに記載のコンテンツ提供システムを構成するコンテンツサーバとして機能させるための各種手順を、コンピュータシステムに実行させるためのプログラム。
【請求項１５】
請求項１から請求項１０のいずれかに記載のコンテンツ提供システムを構成するコンテンツ受信端末として機能させるための各種手順を、コンピュータシステムに実行させるためのプログラム。
【請求項１６】
請求項１から請求項１０のいずれかに記載のコンテンツ提供システムを構成する利用者端末として機能させるための各種手順を、コンピュータシステムに実行させるためのプログラム。
【発明の詳細な説明】
【０００１】
【発明の属する技術分野】
本発明は、コンテンツをネットワーク経由で配信するためのコンテンツ提供システム、このコンテンツ提供システムを構成する端末装置、および、これらにおいて利用可能なプログラムに関する。
【０００２】
【従来の技術】
従来から、インターネットなどのネットワークを介して様々なコンテンツを配信することが行われており、利用者は、ネットワークに接続されたコンピュータシステムによりコンテンツの配信を受け、このコンテンツを出力（ディスプレイによる表示、プリンタによる印刷媒体への印刷）させることにより閲覧している。
【０００３】
また、近年では、携帯電話機や携帯情報端末（ＰＤＡ：Ｐｅｒｓｏｎａｌ  Ｄｉｇｉｔａｌ  Ａｓｓｉｓｔａｎｃｅ  ）などの移動端末において、ネットワークを介してコンテンツの配信を受けることも一般的になっており、利用者は、このコンテンツで示される内容を出力させることにより自由な場所で閲覧することができるようになっている。
【０００４】
ただ、移動体端末は、端末自体の大きさなどの制約から、コンテンツを高精細に出力する機能を備えることができないため、コンテンツを高精細な状態で閲覧できなかったり、閲覧可能なコンテンツが制限されたりしてしまう。
そこで、現在では、移動端末から、コンテンツを高精細な状態で出力可能な端末装置に対して、コンテンツの受信および出力を依頼することにより、この端末装置にコンテンツを記録させ、所定のタイミングで出力させて閲覧できるコンテンツ提供システムが提案されている。
【０００５】
具体的な例としては、移動端末、コンテンツを配信するサーバ（コンテンツ配信システム）、および、ネットワークを介してコンテンツの配信を受けることのできる端末装置（自動販売装置）などからなるコンテンツ提供システム（コンテンツ配信サービスシステム）である（特許文献１）。このシステムにおいては、まず、利用者が、移動端末によりサーバにアクセスして、認証データ（認証情報）によるユーザ認証、出力を依頼すべきコンテンツの選択、および、出力を依頼する端末装置の選択を行う。この後、サーバは、認証データおよび利用者に選択されたコンテンツを示すコンテンツデータ（印刷データ）を、利用者に選択された端末装置へ配信し、これらのデータを受信した端末装置が両データを対応づけて記録（蓄積）する。そして、利用者が、サーバへのアクセス時に選択した端末装置を操作して、同アクセス時に選択したコンテンツを指定すると共に識別データを入力すると、この入力操作を受けた端末装置が、利用者に指定されたコンテンツを示すコンテンツデータに対応する識別データと、利用者に入力された識別データとが一致する場合のみ該当するコンテンツで示される内容を出力する。
【０００６】
【特許文献１】
特開２００１−３４４４３５号公報（段落［００４１］から［００５７］参照）
【０００７】
【発明が解決しようとする課題】
しかし、上述のコンテンツ提供システムにおいては、端末装置がサーバから配信されたコンテンツデータを無条件に記録してしまうため、無用なコンテンツデータを記録して端末装置内の記録領域を無用に消費してしまう恐れがある。
【０００８】
例えば、利用者がコンテンツの受信および出力を第１の端末装置に依頼するつもりで間違えて第２の端末装置に依頼してしまった場合、本来コンテンツの受信および出力を依頼するつもりのない第２の端末装置にコンテンツデータが記録されてしまう。こうして、第２の端末装置には、結果的に出力されることのないコンテンツデータが記録されてしまう恐れがある。
【０００９】
このように、端末装置が無用なコンテンツデータを記録することは、コンテンツデータを記録するための記録領域を無用に消費して、出力されるはずの新たなコンテンツデータを記録できなくなるといった事態を招き、システム全体の正常な動作を妨げてしまう恐れがあるため好ましくない。
【００１０】
本発明は、上記問題を解決するためになされたものであり、その目的は、コンテンツをネットワーク経由で配信するコンテンツ提供システムにおいて、ネットワークを介してコンテンツの配信を受ける端末装置が記録領域を無用に消費しないようにするための技術を提供することである。
【００１１】
【課題を解決するための手段および発明の効果】
上記課題を解決するため請求項１に記載のコンテンツ提供システムは、コンテンツデータをネットワーク経由で配信可能なコンテンツサーバと、該コンテンツサーバにより配信されたコンテンツデータをネットワーク経由で受信可能な通信端末であるコンテンツ受信端末と、ネットワーク経由でデータ通信可能な利用者側の通信端末である利用者端末と、からなるシステムである。
【００１２】
これらのうち、コンテンツサーバは、コンテンツ記録手段およびコンテンツ配信手段を備え、コンテンツ記録手段にコンテンツデータが記録されており、コンテンツ配信手段が、利用者端末から、コンテンツデータのコンテンツ受信端末への配信を依頼するための配信依頼データと共に、この配信依頼を識別するための第１識別データを受信した際、コンテンツ記録手段に記録されているコンテンツデータのうち配信依頼データにより配信を依頼されたコンテンツデータ、および、第１識別データをコンテンツ受信端末へ送信する。
【００１３】
また、コンテンツ受信端末は、データ記録手段およびコンテンツ記録指令手段を備えており、データ記録手段が、あらかじめ利用者側から提供されたデータであり配信依頼を識別可能な第２識別データの他に各種データを記録可能であって、コンテンツ記録指令手段が、コンテンツサーバにより送信された第１識別データを受信した際、この第１識別データで識別される配信依頼が、データ記録手段により記録されている第２識別データで識別される配信依頼と同一である場合のみ、コンテンツサーバにより送信されたコンテンツデータをデータ記録手段に記録させる。
【００１４】
そして、利用者端末は、利用者の操作を受けて、配信依頼データと共に第１識別データをコンテンツサーバへ送信することによって、コンテンツデータの配信を依頼する配信依頼手段を備えている。
このコンテンツ提供システムでは、利用者が、あらかじめコンテンツ受信端末に第２識別データを提供しておき、その後、利用者端末を操作することによって、配信依頼データおよび第１識別データをコンテンツサーバへ送信する。これにより、コンテンツサーバに、コンテンツデータのコンテンツ受信端末への配信を依頼したことになる。続いて、配信依頼データおよび第１識別データを受信したコンテンツサーバが、第１識別データおよびコンテンツデータをコンテンツ受信端末へ送信する。そして、第１識別データを受信したコンテンツ受信端末が、この第１識別データおよび第２識別データそれぞれで識別される配信依頼が一致する場合のみ、コンテンツサーバにより送信されたコンテンツデータを記録する。
【００１５】
このように構成されたコンテンツ提供システムによれば、コンテンツ受信端末は、第１識別データおよび第２識別データそれぞれで識別される配信依頼が一致するといった条件を満たす場合のみ、コンテンツデータを記録する。そのため、あらかじめ第２識別データを提供していない利用者からの依頼に対して、コンテンツデータを記録してしまうことがない。これによって、無用なコンテンツデータを記録してデータ記録手段の記録領域を無用に消費してしまうことを防止できる。
【００１６】
なお、上述したコンテンツデータとは、ネットワークを介して送受信可能なデータであって、ウェブページ，画像，テキスト，音声などからなるデータのことである。また、ここでいう「ネットワーク」とは、インターネットなどのＷＡＮ（Ｗｉｄｅ  Ａｒｅａ  Ｎｅｔｗｏｒｋ  ）であってもよいし、ＬＡＮ（Ｌｏｃａｌ  Ａｒｅａ  Ｎｅｔｗｏｒｋ）であってもよい。
【００１７】
また、配信依頼データとは、コンテンツデータのコンテンツ受信端末への配信を依頼するためのデータであって、コンテンツサーバのコンテンツ記録手段に記録されているコンテンツデータのうち、いずれかのコンテンツデータを識別可能なデータである。
【００１８】
また、請求項２に記載のコンテンツ提供システムは、コンテンツサーバにおけるコンテンツ配信手段が、第１識別データを送信し、その後、コンテンツ受信端末からコンテンツデータを送信してもよい旨を示す応答データを受信した場合に、コンテンツデータを送信するように構成され、コンテンツ受信端末におけるコンテンツ記録指令手段が、コンテンツサーバにより送信された第１識別データを受信した際、この第１識別データで識別される配信依頼が、データ記録手段により記録されている第２識別データで識別される配信依頼と同一である場合に、応答データをコンテンツサーバに送信し、その後、コンテンツサーバから送信されてくるコンテンツデータをデータ記録手段に記録させるように構成されている。
【００１９】
このように構成されたコンテンツ提供システムによれば、コンテンツ受信端末は、第１識別データおよび第２識別データそれぞれで識別される配信依頼が一致するといった条件を満たす場合のみ、コンテンツサーバにコンテンツデータの送信を許可することになる。そのため、あらかじめ第２識別データを提供していない利用者からの依頼に対して、コンテンツデータをネットワーク上に流してしまうことがない。これによって、無用なコンテンツデータがネットワーク上に流れることによるトラフィックの増加を抑えることができる。
【００２０】
なお、上述の第１，第２識別データとは、配信依頼データによる配信依頼（配信の依頼）が、どのような依頼であるかを識別するためのデータであって、例えば、配信依頼データを送信した利用者端末または利用者端末の利用者を識別するためのデータが考えられる。具体的には、利用者端末側でランダムに生成された文字データ、利用者端末または利用者に割り当てられた固有のＩＤ（ｉｄｅｎｔｉｆｉｃａｔｉｏｎ）、利用者端末のネットワーク上における識別情報（例えば、ＩＰアドレスやＭＡＣアドレス，ＩＰ：Ｉｎｔｅｒｎｅｔ  Ｐｒｏｔｏｃｏｌ、ＭＡＣ：Ｍｅｄｉａ  Ａｃｃｅｓｓ  Ｃｏｎｔｒｏｌ）などからなるデータである。
【００２１】
また、この第２識別データを、コンテンツ受信端末に提供するための構成については特に限定されないが、例えば、利用者が、コンテンツ受信端末を操作して第２識別データとなる情報を直接入力することによって、第２識別データをコンテンツ受信端末に提供するように構成すればよい。
【００２２】
具体的には、請求項３に記載のように、コンテンツ受信端末に対して、利用者に入力操作を行わせるための受信側操作手段と、受信側操作手段により行われる操作が配信依頼を識別可能な情報を入力する操作である場合に、この入力された情報を示すデータを第２識別データとしてデータ記録手段に記録させる識別記録指令手段と、を備えるとよい。
【００２３】
このように構成されたコンテンツ提供システムによれば、利用者は、コンテンツ受信端末の受信側操作手段を操作し、第２識別データとなる情報を入力することによって、コンテンツ受信端末に第２識別データを提供することができる。
また、第２識別データをコンテンツ受信端末に提供するための別の構成として、利用者が、利用者端末を操作して第２識別データとなる情報を入力し、このデータをコンテンツ受信端末へ送信することによって、第２識別データをコンテンツ受信端末に提供するように構成してもよい。
【００２４】
具体的には、請求項４に記載のように、利用者端末に対して、利用者に入力操作を行わせるための利用者側操作手段と、利用者側操作手段により行われる操作が配信依頼を識別可能な情報を入力する操作である場合に、この入力された情報を示すデータを第２識別データとしてコンテンツ受信端末へ送信する識別データ送信手段と、を備え、コンテンツ受信端末に対しては、利用者端末から第２識別データを受信した際、この第２識別データをデータ記録手段に記録させる識別記録指令手段を備えるとよい。
【００２５】
このように構成されたコンテンツ提供システムによれば、利用者は、利用者端末の利用者側操作手段を操作し、第２識別データとなる情報を入力することによって、この利用者端末を介してコンテンツ受信端末に第２識別データを提供することができる。
【００２６】
なお、この構成における識別データ送信手段は、第２識別データをネットワーク経由でコンテンツ受信端末へ送信するように構成すればよく、また、無線やケーブルを介した通信により直接コンテンツ受信端末へ送信するように構成してもよい。
【００２７】
また、請求項５に記載のコンテンツ提供システムは、コンテンツ受信端末が、各種画像を印刷媒体へ印刷する印刷手段と、コンテンツ記録指令手段による指令でデータ記録手段に記録されるコンテンツデータが所定の印刷条件を満足するデータである場合に、このコンテンツデータで示される内容を印刷手段により印刷媒体へ印刷させる印刷指令手段と、を備えている。
【００２８】
このように構成されたコンテンツ提供システムによれば、コンテンツ受信端末は、コンテンツサーバから配信（送信）されたコンテンツデータが所定の印刷条件を満足するデータである場合に、このコンテンツデータで示される内容を、印刷媒体に印刷することによって利用者が閲覧可能な状態にして出力することができる。
【００２９】
なお、この構成における「所定の印刷条件」とは、印刷指令手段が、コンテンツデータで示される内容が印刷すべき内容であるかどうかを判断するためのものであって、例えば、請求項６に記載のように、コンテンツ記録指令手段による指令でデータ記録手段に記録されるコンテンツデータが、ウェブページまたは画像データである場合に、印刷条件を満足したと判定するように構成すればよい。
【００３０】
このように構成されたコンテンツ提供システムによれば、コンテンツ受信端末は、コンテンツサーバから配信（送信）されたコンテンツデータがウェブページまたは画像データ（画像およびテキストからなるデータ）のような印刷媒体へ印刷するのに適した内容である場合に、このコンテンツデータで示される内容を印刷媒体に印刷することができる。
【００３１】
また、上記請求項５，６においては、コンテンツデータで示される内容を、印刷媒体へ印刷することにより利用者が閲覧可能な状態にして出力するように構成されたものを例示した。しかし、コンテンツ受信端末が、各種画像を表示する表示手段を備えている場合には、この表示指令手段によって、コンテンツデータで示される内容を表示させるように構成してもよい。
【００３２】
このように構成すれば、コンテンツ受信端末は、コンテンツサーバから配信（送信）されたコンテンツデータが所定の表示条件を満足するデータである場合に、このコンテンツデータで示される内容を、表示手段により表示することによって利用者が閲覧可能な状態にして出力することができる。
【００３３】
なお、この構成における「所定の表示条件」とは、内容表示指令手段が、コンテンツデータで示される内容が表示すべき内容であるかどうかを判断するためのものであって、例えば、コンテンツ記録指令手段による指令でデータ記録手段に記録されたコンテンツデータが、ウェブページまたは画像データである場合に、表示条件を満足したと判定するように構成すればよい。
【００３４】
このように構成すれば、コンテンツ受信端末は、コンテンツサーバから配信（送信）されたコンテンツデータがウェブページまたは画像データ（画像およびテキストからなるデータ）のような表示手段により表示するのに適した内容である場合、このコンテンツデータで示される内容を表示手段により表示することができる。
【００３５】
また、請求項７に記載のコンテンツ提供システムは、コンテンツ受信端末に対して、利用者に入力操作を行わせるための受信側操作手段、各種画像を印刷媒体へ印刷する印刷手段、操作記録指令手段、配信要求手段、および、印刷指令手段が備えられ、コンテンツサーバについてはコンテンツ配信手段が、コンテンツ受信端末から配信要求データに基づくコンテンツデータの配信要求を受けた際に、コンテンツ記録手段に記録されているコンテンツデータのうち配信要求を受けたコンテンツデータを、コンテンツ受信端末へ配信するように構成されている。
【００３６】
このコンテンツ提供システムのコンテンツ受信端末において、操作記録指令手段は、コンテンツ記録指令手段による指令でデータ記録手段に記録されるコンテンツデータが、このコンテンツデータを除く他のコンテンツデータの配信を要求するために利用可能な配信要求データである場合、この配信要求データと、受信側操作手段による特定の操作内容を示す操作データとを対応づけた状態でデータ記録手段に記録させる。また、配信要求手段は、受信側操作手段により行われた操作が、データ記録手段に記録された操作データで示される操作内容に従った操作である場合に、この操作データに対応づけられた状態でデータ記録手段に記録されている配信要求データを利用してコンテンツサーバにコンテンツデータの配信を要求する。そして、印刷指令手段は、配信要求手段による要求を受けてコンテンツサーバから送信されたコンテンツデータを受信した際に、このコンテンツデータで示される内容を印刷手段により印刷媒体へ印刷させる。
【００３７】
このように構成されたコンテンツ提供システムによれば、コンテンツ受信端末は、コンテンツサーバから配信（送信）されたコンテンツデータが配信要求データである場合、この配信要求データを操作データに対応づけて記録しておくことができる。その後、受信側操作手段により行われた操作が、操作データで示される特定の操作内容である場合には、この操作データに対応する配信要求データに基づいてコンテンツデータの配信を要求し、この要求に応じてコンテンツサーバから配信されたコンテンツデータで示される内容を印刷媒体へ印刷することができる。
【００３８】
なお、この構成における受信側操作手段は、上述した請求項３に記載の受信側操作手段と同一手段であればよいが、それぞれ独立した別の手段であってもよい。
また、印刷手段は、上述した請求項５に記載の印刷手段と同一の手段であればよいが、それぞれ独立した別の手段であってもよい。
【００３９】
また、操作データは、受信側操作手段による特定の操作内容を示すデータであって、あらかじめ定められた操作内容を示すデータであればよいが、任意の操作内容を示すデータとして生成できるように構成してもよい。
このように操作データを生成するための構成としては、例えば、請求項８に記載のように、コンテンツ受信端末において、操作記録指令手段を、受信側操作手段により行われる操作内容を示すデータを操作データとし、この操作データをデータ記録手段に記録させるように構成することが考えられる。
【００４０】
このように構成されたコンテンツ提供システムによれば、コンテンツ受信端末は、受信側操作手段による任意の操作内容を示すデータを操作データとしてデータ記録手段に記録することができる。そのため、利用者は、コンテンツ受信端末の受信側操作手段を操作することによって、任意の操作内容を示すデータを操作データとして記録させることができる。これにより、任意の操作内容によって配信要求データに基づくコンテンツデータの配信を要求することができる。
【００４１】
また、操作データを生成するための構成としては、請求項９に記載のように、利用者端末に、利用者に入力操作を行わせるための利用者側操作手段と、利用者側操作手段により行われた操作内容を示すデータを操作データとしてコンテンツ受信端末へ送信する操作データ送信手段と、が備えられ、コンテンツ受信端末において、操作記録指令手段を、利用者端末から操作データ受信した際、この操作データをデータ記録手段に記録させるように構成することも考えられる。
【００４２】
このように構成されたコンテンツ提供システムによれば、コンテンツ受信端末は、利用者端末から送信された操作データをデータ記録手段に記録することができる。そのため、利用者は、利用者端末の利用者側操作手段を操作することによって、任意の操作内容を示すデータを操作データとしてコンテンツ受信端末に記録させることができる。これにより、任意の操作内容によって配信要求データに基づくコンテンツデータの配信を要求することができる。
【００４３】
なお、この構成における利用者側操作手段は、上述した請求項４に記載の利用者側操作手段と同一の手段であればよいが、それぞれ独立した別の手段であってもよい。
また、操作データ送信手段は、操作データをネットワーク経由でコンテンツ受信端末へ送信するように構成すればよく、また、無線やケーブルを介した通信により直接コンテンツ受信端末へ送信するように構成してもよい。
【００４４】
また、操作データを生成するための構成としては、請求項１０に記載のような構成を考えることもできる。請求項１０に記載のコンテンツ提供システムは、コンテンツサーバのコンテンツ配信手段が、利用者端末から第１識別データ、配信依頼データおよびコンテンツ受信端末の受信側操作手段による特定の操作内容を示す操作データを受信した際に、第１識別データ、コンテンツデータおよび操作データをコンテンツ受信端末へ送信するように構成されている。また、コンテンツ受信端末の操作記録指令手段が、コンテンツ記録指令手段による指令でデータ記録手段に記録されるコンテンツデータが配信要求データである場合、この配信要求データに対応づけた状態で、配信要求データと共に受信した操作データをデータ記録手段に記録させるように構成されている。そして、利用者端末の配信依頼手段が、利用者の操作を受けて、配信依頼データと共に第１識別データおよび操作データをコンテンツサーバへ送信することによって、コンテンツデータの配信を依頼するように構成されている。
【００４５】
このように構成されたコンテンツ提供システムによれば、コンテンツ受信端末は、コンテンツサーバから送信された配信要求データ（コンテンツデータ）および操作データを対応づけた状態でデータ記録手段に記録することができる。これらのデータは、コンテンツサーバが、利用者端末から第１識別データ，配信依頼データ，操作データを受信した際に、コンテンツ受信端末へ向けて送信するデータであるため、利用者は、利用者端末を操作して、第１識別データおよび配信依頼データと共に操作データを送信することによって、これらのデータをコンテンツ受信端末に記録させることができる。
【００４６】
なお、この構成において、利用者端末の配信依頼手段は、利用者端末が利用者に入力操作を行わせるための利用者側操作手段を備えている場合には、第１識別データおよび配信依頼データをコンテンツサーバへ送信する際、これらデータを送信するための操作の他に利用者側操作手段により行われた操作内容を示すデータを操作データとして送信するように構成すればよい。また、利用者端末に、利用者側操作手段だけでなく、各種データを記録する利用者側データ記録手段が備えられている場合には、あらかじめ利用者側操作手段により行われた操作内容を示すデータを操作データとして利用者側データ記録手段に記録しておき、第１識別データおよび配信依頼データをコンテンツサーバへ送信する際、これらデータと共に利用者側データ記録手段に記録された操作データを送信するように構成してもよい。
【００４７】
また、請求項１１に記載の端末装置は、請求項１から請求項１０のいずれかに記載のコンテンツ提供システムを構成するコンテンツサーバとして機能する端末装置である。このように構成された端末装置によれば、請求項１から９のいずれかに記載のコンテンツ提供システムの一部（コンテンツサーバ）を構成することができる。
【００４８】
また、請求項１２に記載の端末装置は、請求項１から請求項１０のいずれかに記載のコンテンツ提供システムを構成するコンテンツ受信端末として機能する端末装置である。このように構成された端末装置によれば、請求項１から９のいずれかに記載のコンテンツ提供システムの一部（コンテンツ受信端末）を構成することができる。
【００４９】
また、請求項１３に記載の端末装置は、請求項１から請求項１０のいずれかに記載のコンテンツ提供システムを構成する利用者端末として機能する端末装置である。このように構成された端末装置によれば、請求項１から９のいずれかに記載のコンテンツ提供システムの一部（利用者端末）を構成することができる。
【００５０】
また、請求項１４に記載のプログラムは、請求項１から請求項１０のいずれかに記載のコンテンツ提供システムを構成するコンテンツサーバ（を構成する全ての手段）として機能させるための各種手順を、コンピュータシステムに実行させるためのプログラムである。このようなプログラムにおける各種手順を実行するコンピュータシステムは、請求項１から９のいずれかに記載のコンテンツ提供システムの一部（コンテンツサーバ）を構成することができる。
【００５１】
また、請求項１５に記載のプログラムは、請求項１から請求項１０のいずれかに記載のコンテンツ提供システムを構成するコンテンツ受信端末（を構成する全ての手段）として機能させるための各種手順を、コンピュータシステムに実行させるためのプログラムである。このようなプログラムにおける各種手順を実行するコンピュータシステムは、請求項１から９のいずれかに記載のコンテンツ提供システムの一部（コンテンツ受信端末）を構成することができる。
【００５２】
また、請求項１６に記載のプログラムは、請求項１から請求項１０のいずれかに記載のコンテンツ提供システムを構成する利用者端末（を構成する全ての手段）として機能させるための各種手順を、コンピュータシステムに実行させるためのプログラムである。このようなプログラムにおける各種手順を実行するコンピュータシステムは、請求項１から９のいずれかに記載のコンテンツ提供システムの一部（利用者端末）を構成することができる。
【００５３】
なお、上述した各プログラムは、それぞれコンピュータシステムによる処理に適した命令の順番付けられた列からなるものであって、例えば、ＦＤ，ＣＤ−ＲＯＭ，メモリーカードなどの記録媒体，インターネットなどの通信回線網を介して、コンテンツ提供システムを構成する各端末，コンピュータシステム，または、これらを利用する利用者に提供されるものである。また、このプログラムを実行するコンピュータシステムとしては、例えば、コンテンツ提供システムを構成する各端末の備えるコンピュータシステム、コンテンツ提供システムを構成する各端末に無線または有線の通信路を介してデータ通信可能に接続されたコンピュータシステムなどを利用することができる。
【００５４】
【発明の実施の形態】
次に本発明の実施の形態について例を挙げて説明する。
［第１実施形態］
コンテンツ提供システム１は、コンテンツサーバ（以降、単にサーバとする）１０、複数のコンテンツ受信端末２０、および、移動端末３０それぞれがインターネット１００を介してデータ通信可能に接続されてなるものであり、移動端末３０からコンテンツサーバ１０に要求されたコンテンツをコンテンツ受信端末２０経由で利用者に提供するためのシステムである。
【００５５】
サーバ１０は、周知のコンピュータシステムであって、ＣＰＵ１１、メモリ１２、ハードディスク（以降、ＨＤとする）１３、インターフェース部（以降、Ｉ／Ｆとする）１４などを備え、これらがバス１５により接続されている。これらのうち、Ｉ／Ｆ１４は、サーバ１０をインターネット１００に接続するためのインターフェースである。
【００５６】
コンテンツ受信端末２０は、それぞれがネットワークに接続して使用する周知のネットワークプリンタとしての機能を有しており、ＣＰＵ２１、メモリ２２、プリンタ部２３、表示部２４、操作部２５、インターフェース部（以降、Ｉ／Ｆとする）２６などを備え、これらがバス２７により接続されている。これらのうち、プリンタ部２３は、ＣＰＵ２１からの指令を受けて、所定の給紙位置にセットされた用紙への画像の印刷を行う。また、操作部２５は、コンテンツ受信端末２０による各種動作を開始させるための動作キーや、文字・数字を入力するための入力キー、後述のコンテンツ出力処理（図５）においてキー登録が行われる登録キーなどにより構成される。また、Ｉ／Ｆ２６は、コンテンツ受信端末２０をインターネット１００に接続するためのインターフェースである。
【００５７】
移動端末３０は、周知の携帯電話端末であって、ＣＰＵ３１、メモリ３２、送受話部３３、表示パネル３４、操作パネル３５、通信部３６などを備えている。これらのうち、操作パネル３５は、文字・数字を入力するための入力キーなどにより構成される。また、通信部３６は、無線通信により音声信号を無線基地局（図示されない）との間で送受信すると共に、無線通信によりインターネット１００との間におけるデータ通信を実現する。
○移動端末３０による配信依頼処理
以下に、移動端末３０のＣＰＵ３１により実行される配信依頼処理の処理手順を図２に基づいて説明する。この配信依頼処理は、移動端末３０が所定の通信手順に従いサーバ１０により公開されているウェブページのうち、コンテンツ注文ページへアクセス（ページを受信）した際に開始される。
【００５８】
このコンテンツ注文ページは、図３に示すように、サーバ１０が配信可能な各種コンテンツ（ウェブページ、画像データなど）のうちいずれかを指定するためのコンテンツ指定ボタンｂ１、このコンテンツの印刷を依頼すべきコンテンツ受信端末２０の位置情報（本実施形態においては、ＩＰアドレス）を入力するための位置情報入力欄ｂ２、コンテンツ指定ボタンｂ１により指定されたコンテンツの利用形態（「印刷」または「登録」）を指定するための利用形態指定ボタンｂ３、利用形態が「登録」の場合に登録を行うべきキー番号を指定するキー指定ボタンｂ４、上述したボタンの指定内容および入力欄への入力内容を示すデータをサーバ１０およびコンテンツ受信端末２０へ送信するための注文ボタンｂ５などが設けられている。なお、このコンテンツ注文ページには、移動端末３０のＣＰＵ３１において実行可能なプログラム（アプレット）が付加されており、ＣＰＵ３１は、このプログラムで示される処理手順に従って以降の処理を行うことになる。
【００５９】
まず、コンテンツ注文ページを表示パネル３４に表示させる（ｓ１１０）。この処理で、図３に示すようなコンテンツ注文ページが表示された以降、利用者は、操作パネル３５によって、コンテンツ指定ボタンｂ１によるコンテンツの指定、位置情報入力欄ｂ２への位置情報の入力、利用形態指定ボタンｂ３による利用形態の指定、キー指定ボタンｂ４によるキー番号（登録キーの番号）の指定を行った後、注文ボタンｂ５を選択するといった一連の操作（以降、注文操作とする）を行うことになる。
【００６０】
次に、注文操作が行われるまで待機する（ｓ１２０：ＮＯ）。
このｓ１２０の処理で注文操作が行われたら（ｓ１２０：ＹＥＳ）、識別データを生成する（ｓ１３０）。この処理では、注文操作において位置情報入力欄ｂ２に入力された位置情報，現在日時（年，月，日，時，分，秒）および４桁の乱数が連結されてなるＩＤを特定可能なデータを識別データとして生成する。
【００６１】
次に、ｓ１３０の処理で生成された識別データをコンテンツ受信端末２０へ送信する（ｓ１４０）。この処理では、位置情報入力欄ｂ２に入力された位置情報で特定される送信先であるコンテンツ受信端末２０へインターネット１００経由で識別データを送信する。また、このｓ１４０の処理では、上述の注文操作において利用形態指定ボタンｂ３で「登録」が指定されている場合、識別データと共に、キー指定ボタンｂ４で指定されたキー番号を特定可能なキーデータを送信する。この識別データを受信したコンテンツ受信端末２０では、後述するコンテンツ出力処理（図５）において識別データおよびキーデータで示される内容の登録が行われる。
【００６２】
次に、配信依頼データを生成する（ｓ１５０）。この処理では、注文操作において、コンテンツ指定ボタンｂ１により指定されたコンテンツ、位置情報入力欄ｂ２に入力された位置情報、および、利用形態指定ボタンｂ３により指定された利用形態それぞれを特定可能なデータを、コンテンツ受信端末２０へのコンテンツの配信をサーバ１０に依頼するための配信依頼データとして生成する。
【００６３】
そして、ｓ１５０の処理で生成された配信依頼データを、ｓ１３０の処理で生成された識別データと共にサーバ１０へ送信する（ｓ１６０）。この処理では、サーバ１０へインターネット１００経由で配信依頼データおよび識別データを送信する。これらのデータを受信したサーバ１０では、後述するコンテンツ配信処理（図４）においてコンテンツの配信が行われる。
【００６４】
なお、上述の注文操作において、利用形態指定ボタンｂ３により「印刷」を指定する場合、サーバ１０によるコンテンツ配信処理（図４）およびコンテンツ受信端末２０によるコンテンツ出力処理（図５）を経てコンテンツデータで示される内容がコンテンツ受信端末２０から用紙へ印刷されるため、利用者は、コンテンツ受信端末２０付近で移動端末３０を操作することになる。
○サーバ１０によるコンテンツ配信処理
以下に、サーバ１０の備えるＣＰＵ１１により実行されるコンテンツ配信処理の処理手順を図４に基づいて説明する。このコンテンツ配信処理は、移動端末３０から配信依頼データを受信した際に開始される。なお、この配信依頼データは、図２におけるｓ１６０の処理で識別データと共に移動端末３０から送信されてくるものである。
【００６５】
まず、配信依頼データで特定されるコンテンツの配信を受け入れるかどうかをコンテンツ受信端末２０に問い合わせるためのデータであって、配信依頼データと共に受信した識別データで特定されるＩＤを特定可能なデータを問合データとして生成する（ｓ２１０）。
【００６６】
次に、ｓ２１０の処理で生成された問合データをコンテンツ受信端末２０へ送信する（ｓ２２０）。この処理では、配信依頼データで特定される位置情報の送信先であるコンテンツ受信端末２０へインターネット１００経由で問合データを送信する。この問合データを受信したコンテンツ受信端末２０からは、後述するコンテンツ出力処理（図５）においてコンテンツを配信可能であれば応答データが送信されてくる。また、このｓ２２０の処理では、問合データを送信した以降の経過時間をタイマによりカウントし始める。
【００６７】
次に、コンテンツ受信端末２０から応答データを受信したかどうかをチェックする（ｓ２３０）。
このｓ２３０の処理で、応答データを入力していなければ（ｓ２３０：ＮＯ）、問合データに対してタイムアウトになったかどうかをチェックする（ｓ２４０）。この処理では、ｓ２２０の処理でカウントが開始されたタイマのカウント値が所定の値（本実施形態においては、２秒）を超えた場合に、タイムアウト（つまり、時間切れ）であると判定する。
【００６８】
このｓ２４０の処理で、タイムアウトになっていれば（ｓ２４０：ＹＥＳ）、ｓ２２０の処理でカウントを開始したタイマをストップおよびリセットした後、本コンテンツ配信処理を終了する。一方、ｓ２４０の処理で、タイムアウトになっていなければ（ｓ２４０：ＮＯ）、ｓ２３０の処理へ戻る。
【００６９】
また、ｓ２３０の処理で、応答データを入力していれば（ｓ２３０：ＹＥＳ）、コンテンツデータを生成する（ｓ２５０）。この処理では、配信依頼データで特定される利用形態が「印刷」であれば、ＨＤ１３に記録されている各種コンテンツのうち配信依頼データで特定されるコンテンツを示すデータそのものをコンテンツデータとして生成する（読み出す）。一方、配信依頼データで特定される利用形態が「登録」であれば、同コンテンツのインターネット１００上における位置情報（ＩＰアドレス）を示すデータをコンテンツデータとして生成する。また、このｓ２５０の処理では、ｓ２２０の処理でカウントを開始したタイマをストップおよびリセットする。
【００７０】
そして、ｓ２５０の処理で生成したコンテンツデータを、コンテンツ受信端末２０へ送信する（ｓ２６０）。この処理では、配信依頼データで特定される位置情報の送信先であるコンテンツ受信端末２０へインターネット１００経由でコンテンツデータを送信する。このコンテンツデータを受信したコンテンツ受信端末２０では、後述するコンテンツ出力処理（図５）においてコンテンツの印刷または登録が行われる。
○コンテンツ受信端末２０によるコンテンツ出力処理
以下に、コンテンツ受信端末２０のＣＰＵ２１により実行されるコンテンツ出力処理の処理手順を図５に基づいて説明する。このコンテンツ出力処理は、インターネット１００経由でデータを受信した際に開始される。
【００７１】
まず、インターネット１００経由で受信したデータをチェックする（ｓ３１０）。
このｓ３１０の処理で受信したデータが識別データである場合（ｓ３１０：ＹＥＳ）、この識別データにより特定されるＩＤを登録する（ｓ３２０）。この処理では、図２におけるｓ１４０の処理で移動端末３０から送信された識別データに基づいて、この識別データにより特定されるＩＤをメモリ２２内にあらかじめ記録されたデータテーブルであるＩＤテーブルに登録する。なお、このｓ３２０の処理で登録されるＩＤには、所定の有効期限（本実施形態においては、１０分）が設定され、この有効期限を経過したＩＤは、ＩＤテーブルから順次削除されるように構成されている。
【００７２】
次に、ｓ３１０の処理でチェックされた識別データと共に、キーデータを受信したかどうかをチェックし（ｓ３３０）、キーデータを受信している場合（ｓ３３０：ＹＥＳ）、このキーデータで特定されるキー番号をｓ３２０の処理で登録されたＩＤに対応づけて登録する（ｓ３４０）。この処理では、キーデータで特定されるキー番号を、ｓ３２０の処理で登録したＩＤに対応づけて上述のＩＤテーブルに登録する。なお、上述のように有効期限が経過してＩＤテーブルからＩＤが削除された際は、このＩＤに対応するキー番号も共に削除される。
【００７３】
こうして、ｓ３４０の処理を終えた後、または、ｓ３３０の処理で識別データにキーデータを受信していない場合（ｓ３３０：ＮＯ）、本コンテンツ出力処理を終了する。
また、ｓ３１０の処理で受信したデータが問合データである場合（ｓ３１０：ＮＯ）、この問合データで特定されるＩＤがメモリ２２内のＩＤテーブルに登録されているかどうかをチェックする（ｓ３５０）。この問合データは、図４におけるｓ２２０の処理を経てサーバ１０から送信されたものである。このｓ３５０の処理では、ＩＤがＩＤテーブルに登録されているかどうかをチェックすることによって、後述の処理（ｓ３８０の処理）においてサーバ１０からのコンテンツの配信を受け入れるかどうかを判定することになる。
【００７４】
このｓ３５０の処理で、ＩＤがＩＤテーブルに登録されていない場合（ｓ３５０：ＮＯ）、コンテンツの配信を受け入れない旨を報知した後で（ｓ３６０）、本コンテンツ出力処理を終了する。このｓ３６０の処理では、コンテンツの配信を受け入れない旨のメッセージを表示部２４に表示させることにより報知を行う。なお、このｓ３６０の処理において報知を行うための構成は、表示部２４へのメッセージの表示以外に、同メッセージを示す画像をプリンタ部２３により印刷する構成などを採用することもできる。こうして、サーバ１０により配信されるコンテンツの配信を受け入れることなく、本コンテンツ出力処理が終了される。
【００７５】
一方、ｓ３５０の処理で、ＩＤがＩＤテーブルに登録されている場合（ｓ３５０：ＹＥＳ）、サーバ１０からのコンテンツの配信を受け入れる旨を示す応答データをインターネット１００経由でサーバ１０へ送信する（ｓ３７０）。この応答データを図４におけるｓ２３０の処理で受信したサーバ１０からは、ｓ２６０の処理でコンテンツデータが送信されてくる。また、このｓ３７０の処理では、応答データを送信した以降の経過時間をタイマによりカウントし始める。
【００７６】
次に、サーバ１０からコンテンツデータを受信したかどうかをチェックする（ｓ３８０）。
このｓ３８０の処理で、コンテンツデータを受信していなければ（ｓ３８０：ＮＯ）、応答データに対してタイムアウトになったかどうかをチェックする（ｓ３９０）。この処理では、ｓ３７０の処理でカウントが開始されたタイマのカウント値が所定の値（本実施形態においては、１０秒）を超えた場合に、タイムアウトであると判定する。
【００７７】
このｓ３９０の処理で、タイムアウトになっていなければ（ｓ３９０：ＮＯ）、ｓ３８０の処理へ戻る一方、タイムアウトになっていれば（ｓ３９０：ＹＥＳ）、コンテンツデータが送信されてこなかった旨を報知した後（ｓ４００）、本コンテンツ出力処理を終了する。このｓ４００の処理では、コンテンツデータが送信されてこない旨のメッセージを表示部２４に表示させることにより報知を行う。なお、このｓ４００の処理において報知を行うための構成は、ｓ３６０の処理と同様、他の構成を採用することもできる。また、このｓ４００の処理では、ｓ３７０の処理でカウントを開始したタイマをストップおよびリセットする。
【００７８】
また、ｓ３８０の処理で、コンテンツデータを受信していれば（ｓ３８０：ＹＥＳ）、このコンテンツデータが印刷すべきデータであるかどうかをチェックする（ｓ４１０）。この処理では、コンテンツデータで示される内容が、サーバ１０が配信可能なコンテンツそのものを示すデータ（ウェブページ、画像データなど）であれば印刷すべきデータであると判定し、同コンテンツのインターネット上における位置情報を示すデータであれば印刷すべきデータではないと判定する。また、このｓ４１０の処理では、ｓ３７０の処理でカウントを開始したタイマをストップおよびリセットする。
【００７９】
このｓ４１０の処理で、コンテンツデータが印刷すべきデータであれば（ｓ４１０：ＹＥＳ）、このコンテンツデータをメモリ２２内に記録させる（ｓ４２０）。
次に、ｓ４２０の処理で記録されたコンテンツデータで示される内容をプリンタ部２３により用紙に印刷させる（ｓ４３０）。このようにして、移動端末３０からコンテンツサーバ１０に配信を要求されたコンテンツが、コンテンツ受信端末２０経由で利用者に提供される。
【００８０】
また、ｓ４１０の処理で、コンテンツデータが印刷すべきデータでなければ（ｓ４１０：ＮＯ）、このコンテンツデータに基づいてキー登録を行う（ｓ４４０）。この処理では、コンテンツデータで示される位置情報を、メモリ２２に記録されているＩＤテーブルのうち、ｓ３１０の処理で受信した問合データで特定されるＩＤに対応づけて登録する。印刷すべきでないコンテンツデータは、コンテンツの利用形態が「登録」である場合にサーバ１０から送信されるデータであり、コンテンツ受信端末２０は、このコンテンツデータを受信する前に、あらかじめｓ３１０の処理において識別データおよびキーデータを受信し、ｓ３２０からｓ３４０の処理において識別データで特定されるＩＤおよびキーデータで特定されるキー番号を対応づけてＩＤテーブルに登録している。また、ｓ３１０の処理で受信した問合データは、図４におけるｓ２１０の処理において、識別データで特定されるＩＤを特定可能なデータとしてサーバ１０側からあらかじめ送信されたデータである。そのため、この問合データで特定されるＩＤに対応づけて、コンテンツデータで示される位置情報を登録することによって、ＩＤ，位置情報およびキー番号が対応づけられたことになる。このように、キー登録が行われた以降、ＩＤテーブルに登録されたキー番号に該当する登録キーを押下する操作が行われた際には、後述のワンタッチアクセス処理（図６）において位置情報で示されるコンテンツへアクセスおよび印刷が行われるようになる。
【００８１】
こうして、ｓ４４０の処理を終えた後、または、ｓ４３０の処理を終えた後、ｓ３５０の処理でチェックされたＩＤをメモリ２２内のＩＤテーブルから削除して（ｓ４５０）、本コンテンツ出力処理を終了する。
なお、本コンテンツ出力処理において、ｓ３１０の処理で受信したデータが識別データおよび問合データ以外である場合の処理については、本発明を理解するうえで重要ではないため省略する。
○コンテンツ受信端末２０によるワンタッチアクセス処理
以下に、コンテンツ受信端末２０のＣＰＵ２１により実行されるワンタッチアクセス処理の処理手順を図６に基づいて説明する。このワンタッチアクセス処理は、操作部２５を構成する登録キーを押下する操作が行われた際に開始される。
【００８２】
まず、押下された登録キーに対応する位置情報をキーテーブルから検索する（ｓ５１０）。この処理では、メモリ２２内のＩＤテーブルのうち、押下された登録キーに対応する位置情報を検索する。
このｓ５１０の処理で、押下された登録キーに対応する位置情報が検出されたら（ｓ５１０：ＹＥＳ）、この位置情報に基づいてコンテンツの配信をサーバ１０に要求する（ｓ５２０）。この処理では、所定の通信手順に従いサーバ１０が提供可能なコンテンツデータのうち、ｓ５１０の処理で検出された位置情報のコンテンツデータへのアクセスを試みる。このアクセスを試みられたサーバ１０は、図４におけるｓ２５０，ｓ２６０の処理と同様に、配信を要求されたコンテンツを示すデータそのものをコンテンツデータとして生成して送信するように構成されている。また、このｓ５２０の処理では、コンテンツの配信を要求した以降の経過時間をタイマによりカウントし始める。
【００８３】
次に、サーバ１０からコンテンツデータを受信したかどうかをチェックする（ｓ５３０）。
このｓ５３０の処理で、コンテンツデータを受信していなければ（ｓ５３０：ＮＯ）、コンテンツの要求に対してタイムアウトになったかどうかをチェックする（ｓ５４０）。この処理では、ｓ５２０の処理でカウントが開始されたタイマのカウント値が所定の値（本実施形態においては、１０秒）を超えた場合に、タイムアウトであると判定する。
【００８４】
このｓ５４０の処理で、タイムアウトになっていなければ（ｓ５４０：ＮＯ）、ｓ５３０の処理へ戻る一方、タイムアウトになっていれば（ｓ５４０：ＹＥＳ）、コンテンツデータが送信されてこなかった旨を報知した後（ｓ５５０）、本コンテンツ出力処理を終了する。このｓ５５０の処理は、図５におけるｓ４００の処理と同様である。また、このｓ５５０の処理では、ｓ５２０の処理でカウントを開始したタイマをストップおよびリセットする。
【００８５】
また、ｓ５３０の処理で、コンテンツデータを受信していれば（ｓ５３０：ＹＥＳ）、このコンテンツデータをメモリ２２内に記録させる（ｓ５６０）。
そして、ｓ５６０の処理で記録されたコンテンツデータで示される内容をプリンタ部２３により用紙に印刷させる（ｓ５７０）。このようにして、操作部２５のワンタッチ操作により、サーバ１０にコンテンツデータの配信を要求することができる。
【００８６】
こうして、ｓ５７０の処理を終えた後、または、ｓ５１０の処理で押下されたキーに対応する位置情報が検出されない場合（ｓ５１０：ＮＯ）、本ワンタッチアクセス処理を終了する。
［第１実施形態の効果］
このコンテンツ提供システム１において、利用者は、移動端末３０を操作し、図２におけるｓ１４０の処理で識別データをコンテンツ受信端末２０へ送信させることでコンテンツ受信端末２０に識別データを提供して、ｓ１６０の処理で配信依頼データおよび識別データをサーバ１０へ送信させる。この識別データを提供されたコンテンツ受信端末２０は、識別データで特定されるＩＤを図５におけるｓ３２０の処理でＩＤテーブルに登録する。これによって、サーバ１０にコンテンツ受信端末２０へのコンテンツの配信を依頼したことになる。また、配信依頼データを受信したサーバ１０は、図４におけるｓ２２０の処理でコンテンツ受信端末２０へ問合データを送信する。この問合データを受信したコンテンツ受信端末２０は、問合データで特定されるＩＤがＩＤテーブルに登録されている場合、つまり、あらかじめ利用者に提供された識別データおよび問合データそれぞれで特定されるＩＤが一致する場合のみ応答データをサーバ１０へ送信する。続いて、応答データの返信を受けたサーバ１０が、図４におけるｓ２６０の処理でコンテンツデータをコンテンツ受信端末２０へ送信する。そして、このコンテンツデータを受信したコンテンツ受信端末２０は、図５におけるｓ４２０の処理で、このコンテンツデータを記録した後、このコンテンツデータで示される内容をｓ４３０の処理により印刷する。
【００８７】
このように構成されたコンテンツ提供システム１によれば、コンテンツ受信端末２０は、あらかじめ利用者に提供された識別データおよび問合データそれぞれで特定されるＩＤが一致するといった条件を満たす場合のみ、コンテンツデータを記録および印刷することになる。そのため、あらかじめ識別データを提供していない移動端末３０（利用者）からの依頼に対して、コンテンツデータを記録および印刷してしまうことがない。これによって、無用なコンテンツデータを記録してメモリ２２内の記録領域を無用に消費してしまうことを防止できる。
【００８８】
また、コンテンツ受信端末２０は、識別データおよび問合データそれぞれで特定されるＩＤが一致するといった条件を満たす場合のみ、図５におけるｓ３７０の処理で応答データを返信することによりコンテンツデータの配信を許可する。そのため、サーバ１０は、あらかじめ識別データを提供していない移動端末３０（利用者）からの依頼に対して、インターネット１００上にコンテンツデータを流してしまうことがない。これによって、無用なコンテンツデータがインターネット１００上に流れることによるトラフィックの増加を抑えることができる。
【００８９】
また、利用者は、移動端末３０により注文操作を行うことによって（図２におけるｓ１２０の処理）、コンテンツ受信端末２０に移動端末３０を介して識別データを提供することができる。
また、コンテンツ受信端末２０は、サーバ１０から配信（送信）されたコンテンツデータがウェブページや画像データなどからなる「印刷すべきデータ」である場合に、このコンテンツデータで示される内容を用紙に印刷することができる。
【００９０】
また、コンテンツ受信端末２０は、移動端末３０から送信された識別データに基づいて、図５におけるｓ３４０の処理でキー番号を登録することができる。そのため、利用者は、図２におけるｓ１２０の処理で、注文操作として利用形態指定ボタンｂ３により「登録」を指定し、かつ、キー指定ボタンｂ４により任意のキー番号を指定することによって、任意のキー番号を特定可能な識別データをコンテンツ受信端末２０に送信し、ＩＤテーブルに登録させることができる。これにより、コンテンツ受信端末２０で操作部２５を構成する任意の登録キーによって、コンテンツデータの配信を要求することができるようになる（図６におけるｓ５２０の処理）。
【００９１】
また、コンテンツ受信端末２０は、図５におけるｓ４１０の処理において、サーバ１０から配信（送信）されたコンテンツデータが、コンテンツのインターネット上における位置情報を特定可能なデータである場合、この位置情報をｓ４４０の処理でＩＤテーブルに登録することができる。その後、操作部２５を構成する登録キーが押下された際、この登録キーが位置情報に対応づけられている場合には、この位置情報に基づいて図６におけるｓ５２０の処理でコンテンツデータの配信を要求し、この要求に応じてサーバ１０から送信されてきたコンテンツデータで示される内容をｓ５７０の処理で用紙に印刷することができる。
【００９２】
また、コンテンツ受信端末２０は、図５におけるｓ４４０の処理で、コンテンツデータで示される位置情報をＩＤテーブルのうちｓ３１０の処理で受信した問合データで特定されるＩＤに対応づけて登録することができる。このコンテンツは、サーバ１０が、移動端末３０から配信依頼データを受信した後、図４におけるｓ２６０の処理でコンテンツ受信端末２０へ向けて送信するデータである。そのため、利用者は、移動端末３０による注文操作で利用形態指定ボタンｂ３のうち「登録」を指定すると共に、キー指定ボタンｂ４でいずれかのキー番号を指定し、これらの指定内容に基づいてｓ１５０の処理で生成された配信依頼データをｓ１６０の処理でサーバ１０へ送信することによって、コンテンツ受信端末２０にキー番号をＩＤテーブルに登録させることができる（図５におけるｓ３２０，ｓ３４０の処理）。
【００９３】
［第２実施形態］
コンテンツ提供システム２は、第１実施形態におけるコンテンツ提供システム１と同様の構成であり、一部処理内容が異なるだけであるため、この相違点についてのみ詳述する。
○移動端末３０による配信依頼処理
本第２実施形態における配信依頼処理は、図２の配信依頼処理と同様の処理であり、図７に示すように、ｓ１３０，ｓ１４０の処理の代わりに以下に示す処理が行われるように構成されたものである。
【００９４】
まず、ｓ１２０の処理で注文操作が行われたら、コンテンツ受信端末２０により文字列の入力を促すためのメッセージを表示パネル３４に表示させる（ｓ１３２）。この処理では、現在日時および４桁の乱数が連結されてなるＩＤの他、注文操作において利用形態指定ボタンｂ３で「登録」が指定された場合にはキー指定ボタンｂ４で指定されたキー番号を示す文字列、および、これらＩＤおよび文字列をコンテンツ受信端末２０の操作部２５により入力した後で、移動端末３０自身の操作パネル３５により「入力を終了した旨の操作（特定のキーを押下）」を行うべき旨のメッセージを表示パネル３４に表示させる。この文字列およびメッセージを表示パネル３４に表示させた以降、利用者は、コンテンツ受信端末２０による文字列の入力を行った後（図８参照）、移動端末３０により「入力を終了した旨の操作」を行うことになる。
【００９５】
そして、「入力を終了した旨の操作」が行われるまで待機し（ｓ１４２：ＮＯ）、「入力を終了した旨の操作」が行われたら（ｓ１４２：ＹＥＳ）、ｓ１５０の処理へ移行する。
○コンテンツ受信端末２０によるＩＤ登録処理
以下に、コンテンツ受信端末２０のＣＰＵ２１により実行されるＩＤ登録処理の処理手順を図８に基づいて説明する。このＩＤ登録処理は、ＩＤ登録処理を開始するための操作として、あらかじめ操作部２５に対して設定された操作（例えば、特定キーの押下、特定の操作手順を実行など；以降、ＩＤ登録操作とする）が行われることにより所定の文字列が入力された後に開始される。この「所定の文字列」とは、図７におけるｓ１３２の処理の後、利用者が操作部２５を操作して順次入力する文字列（ＩＤおよびキー番号）である。
【００９６】
まず、ＩＤ登録操作により入力された文字列のうち、ＩＤを示す文字列の登録を行う（ｓ３２２）。この処理では、登録操作により入力されたＩＤを示す文字列を、図５におけるｓ３２０の処理と同様に、有効期限が設定された状態でＩＤテーブルに登録する。
【００９７】
次に、ＩＤ登録操作によりキー番号が入力されているかどうかをチェックし（ｓ３３２）、キー番号が入力されている場合（ｓ３３２：ＹＥＳ）、このキー番号をｓ３２２の処理で登録されたＩＤに対応づけて登録する（ｓ３４２）。この処理では、図５におけるｓ３４０の処理と同様に、ＩＤ登録操作によりキー番号されたキー番号を、ｓ３２２の処理で登録したＩＤに対応づけた状態で上述のＩＤテーブルに登録する。
【００９８】
こうして、ｓ３４２の処理を終えた後、または、ｓ３３２の処理でキー番号が入力されていない場合（ｓ３３２：ＮＯ）、本ＩＤ登録処理を終了する。
○コンテンツ受信端末２０によるコンテンツ出力処理
本第２実施形態におけるコンテンツ出力処理は、図５におけるｓ３５０からｓ４５０の処理のみで構成され、サーバ１０からインターネット１００経由で問合データを受信した際に開始される処理である。なお、本コンテンツ出力処理における各処理は、図５における各処理と同様の処理であるため、詳細な説明は省略する。
【００９９】
［第２実施形態の効果］
このように構成されたコンテンツ提供システム２によれば、第１実施形態と異なる構成から得られる効果として、以下に示すような効果を得ることができる。
このコンテンツ提供システム２において、利用者は、コンテンツ受信端末２０の操作部２５によりＩＤ登録操作を行うことによって、コンテンツ受信端末２０に直接ＩＤを提供することができる。
【０１００】
［第３実施形態］
コンテンツ提供システム３は、第１実施形態におけるコンテンツ提供システム１と同様の構成であり、一部処理内容が異なるだけであるため、この相違点についてのみ詳述する。
○移動端末３０による配信依頼処理
本第３実施形態における配信依頼処理は、図２の配信依頼処理と同様の処理であり、ｓ１４０の処理において利用形態指定ボタンｂ３で「登録」が指定されている場合であっても識別データのみを送信して、ｓ１６０の処理において利用形態指定ボタンｂ３で「登録」が指定されている場合にはキーデータと共に配信依頼データを送信するように構成されたものである。
○サーバ１０によるコンテンツ配信処理
本第３実施形態におけるコンテンツ配信処理は、図４のコンテンツ配信処理と同様の処理であり、配信依頼データと共にキーデータが受信された場合には、ｓ２５０の処理において、コンテンツデータと共にキーデータを送信するように構成されたものである。
○コンテンツ受信端末２０によるコンテンツ出力処理
本実施形態におけるコンテンツ出力処理は、図５におけるコンテンツ出力処理と同様に処理であり、ｓ３３０，ｓ３４０の処理が行われず、また、ｓ４４０の処理において、コンテンツデータで示される位置情報、および、このコンテンツデータと共に受信したキーデータで示されるキー番号を、メモリ２２に記録されているＩＤテーブルのうち、ｓ３１０の処理で受信した問合データで特定されるＩＤに対応づけて登録することによりキー登録を行うように構成されたものである。
【０１０１】
［第３実施形態の効果］
このように構成されたコンテンツ提供システム３によれば、第１実施形態と異なる構成から得られる効果として、以下に示すような効果を得ることができる。
コンテンツ提供システム３によれば、コンテンツ受信端末２０は、サーバ１０から送信されたコンテンツデータおよびキーデータを対応づけた状態でＩＤテーブルに登録することができる。これらのデータは、サーバ１０が、移動端末３０から識別データ，配信依頼データ，キーデータを受信した後、図４におけるｓ２６０の処理でコンテンツ受信端末２０へ向けて送信するデータであるため、利用者は、移動端末３０を操作して、識別データおよび配信依頼データと共にキーデータを送信することによって、これらのデータをコンテンツ受信端末２０にＩＤテーブルへ登録させることができる。
【０１０２】
［第４実施形態］
コンテンツ提供システム４は、第１実施形態におけるコンテンツ提供システム１と同様の構成であり、一部処理内容が異なるだけであるため、この相違点についてのみ詳述する。
○移動端末３０による配信依頼処理
本第４実施形態における配信依頼処理は、図２の配信依頼処理と同様の処理であり、ｓ１４０の処理において、利用形態指定ボタンｂ３で「登録」が指定されている場合であっても識別データのみを送信するように構成されたものである。
○コンテンツ受信端末２０によるコンテンツ出力処理
本第４実施形態におけるコンテンツ出力処理は、図５におけるコンテンツ出力処理と同様に処理であり、図９に示すように、ｓ３３０，ｓ３４０の処理を行わず、また、ｓ４４０の処理の代わりに以下に示すような処理が行われるように構成されたものである。
【０１０３】
ｓ４１０の処理でコンテンツデータが印刷すべきデータでなければ（ｓ４１０：ＮＯ）、このコンテンツデータに基づいてキー登録を行う旨のメッセージを表示部２４に表示させる（ｓ４４４）。この「キー登録」とは、図５におけるｓ４４０の処理と同様に、操作部２５を構成する登録キーとコンテンツの位置情報とを対応づけて登録することである。このｓ４４４の処理で上述のメッセージが表示された後、利用者は、コンテンツ受信端末２０の操作部２５を構成する各登録キーのうち任意の登録キーを押下する操作を行うことができる。
【０１０４】
このｓ４４４の操作の後、操作部２５のうちいずれかの登録キーが押下されるまで待機し（ｓ４４６：ＮＯ）、登録キーが押下されたら（ｓ４４６：ＹＥＳ）、キー登録を行う（ｓ４４８）。この処理では、コンテンツデータで示される位置情報、および、ｓ４４６の処理で押下された登録キーを示すデータを、メモリ２２に記録されているＩＤテーブルのうち、ｓ３１０の処理で受信した問合データで特定されるＩＤに対応づけて登録する。ｓ３１０の処理で受信した問合データは、図５におけるｓ４４０の処理と同様に、識別データで特定されるＩＤを特定可能なデータとしてサーバ１０側からあらかじめ提供されたデータである。そのため、この問合データで特定されるＩＤに対応づけてコンテンツデータで示される位置情報、および、ｓ４４６の処理で押下された登録キーを示すデータを登録することによって、ＩＤ，位置情報およびキー番号が対応づけられたことになる。
【０１０５】
こうして、ｓ４４８の処理を終えた後、ｓ４５０の処理へ移行する。
［第４実施形態の効果］
このように構成されたコンテンツ提供システム４によれば、第１実施形態と異なる構成から得られる効果として、以下に示すような効果を得ることができる。
【０１０６】
コンテンツ提供システム４において、コンテンツ受信端末２０は、図９におけるｓ４４６の処理で押下される任意の登録キーに基づいて、ｓ４４８の処理でキー登録することができる。そのため、利用者は、コンテンツ受信端末２０の操作部２５を操作することによって、任意のキーに基づくキー登録を行うことができる。これにより、コンテンツ受信端末２０は、図６のワンタッチアクセス処理において任意のキー操作により、コンテンツデータの配信を要求することができるようになる。
【０１０７】
［変形例］
以上、本発明の実施形態について説明したが、本発明は上記の具体的な実施形態に限定されず、このほかにも様々な形態で実施することができる。
例えば、上記実施形態においては、本発明の利用者端末が、移動端末３０により構成されているものを例示した。しかし、本発明の利用者端末は、移動端末３０以外の端末であってもよい。
【０１０８】
また、上記実施形態においては、各フローチャートで示される処理が、サーバ１０，コンテンツ受信端末２０および移動端末３０それぞれの備えるＣＰＵにより実行されるように構成されたものを例示した。しかし、これらの処理の一部または全部が、サーバ１０，コンテンツ受信端末２０および移動端末３０それぞれに有線・無線の信号伝送路で接続された別のコンピュータシステムにより実行されるように構成してもよい。
【０１０９】
また、上記実施形態においては、図２を除く各フローチャートで示される処理が、サーバ１０およびコンテンツ受信端末２０それぞれのメモリに記憶されている処理手順に従って実行されるように構成されたものを例示した。しかし、サーバ１０およびコンテンツ受信端末２０が、ＦＤやメモリーカードなどの記録媒体との間でデータを入出力可能に構成されている場合には、上述の処理手順が記録されている記録媒体に基づいて、上記各処理が実行されるように構成してもよい。
【０１１０】
また、上記実施形態においては、サーバ１０，コンテンツ受信端末２０および移動端末３０それぞれがインターネット１００からなるＷＡＮ（Ｗｉｄｅ  Ａｒｅａ  Ｎｅｔｗｏｒｋ  ）を介してデータ通信可能に接続された状態を例示したが、これら各構成要素は、ＬＡＮ（Ｌｏｃａｌ  Ａｒｅａ  Ｎｅｔｗｏｒｋ）を介して接続した状態でも同様に使用することができる。
【０１１１】
また、上記実施形態においては、図２におけるｓ１４０の処理で識別データをコンテンツ受信端末２０へ送信する際、インターネット１００を経由するように構成されたものを例示した。しかし、コンテンツ受信端末２０および移動端末３０それぞれが、無線通信またはケーブルを介した通信により直接データ通信可能に構成されている場合、このｓ１４０の処理において直接識別データを送信するように構成してもよい。両端末間で直接データ通信を行う場合、インターネット１００のように不慮の外乱による遅延やロスが発生しにくいため、両端末間におけるデータ通信の信頼性を高めるためには好適である。
【０１１２】
また、上記実施形態においては、図２の配信依頼処理が、コンテンツ注文ページに付加されたプログラムで示される処理手順に従って実行されるように構成されたものを例示した。しかし、この配信依頼処理は、移動端末３０内に組み込まれたプログラムで示される処理手順に従って実行されるように構成してもよい。このように構成すれば、サーバ１０から配信されるコンテンツ注文ページのデータ量を削減することができる。
【０１１３】
また、上記実施形態では、図５におけるｓ４３０の処理で、コンテンツデータで示される内容を印刷した直後に、このコンテンツデータを削除するように構成してもよい。また、印刷してから一定時間経過後にコンテンツデータを削除するように構成してもよい。
【０１１４】
また、上記実施形態においては、図２におけるｓ１３０の処理で生成される識別データが、位置情報，現在日時および４桁の乱数が連結されてなるＩＤを特定可能なデータであるものを例示した。しかし、識別データとしては、移動端末３０または移動端末３０の利用者が確かに依頼したコンテンツの配信要求であることを識別することのできるデータであれば、その具体的な構成は特に限定されない。例えば、移動端末３０または利用者に割り当てられた固有のＩＤ（ｉｄｅｎｔｉｆｉｃａｔｉｏｎ）、移動端末３０の位置情報（ＩＰアドレスやＭＡＣアドレス）などからなるデータを識別データとすることが考えられる。
【０１１５】
また、上記実施形態においては、図５におけるｓ４１０の処理において、コンテンツデータで示される内容がコンテンツそのものを示すデータ（ウェブページ、画像データなど）であることを条件（印刷条件）とし、この条件を満足する場合に「印刷すべきデータ」であると判定するように構成されたものを例示した。しかし、「印刷すべきデータ」であると判定するための条件については、他の条件を採用することもできる。また、この条件は、利用者がコンテンツ受信端末２０の操作部２５を操作することにより任意に変更できるように構成してもよい。
【０１１６】
また、上記実施形態においては、図５におけるｓ４３０の処理で、コンテンツ受信端末２０が、コンテンツデータで示される内容を用紙へ印刷することにより利用者が閲覧可能な状態にして出力するように構成されたものを例示した。しかし、コンテンツ受信端末２０の備える表示部２４が、コンテンツを表示するのに充分な性能を有している場合には、このｓ４３０の処理において、コンテンツデータで示される内容を表示部２４に表示させるように構成してもよい。このように構成すれば、コンテンツ受信端末２０は、サーバ１０から配信（送信）されたコンテンツデータで示される内容を、表示部２４により表示することによって、利用者が閲覧可能な状態にして出力することができる。
【０１１７】
また、上記実施形態においては、移動端末３０が、図２におけるｓ１２０の処理で行われた注文操作に基づいて識別データをｓ１３０の処理で生成し、ｓ１４０の処理で送信するように構成されたものを例示した。しかし、図２の配信依頼処理において、図１０に示すように、ｓ１４０およびｓ１６０の処理を行わず、ｓ１５０の処理の後、ｓ１３０およびｓ１５０の処理で生成された識別データおよび配信依頼データをメモリ３２内に記録した後で（ｓ１６２）、本配信依頼処理を終了するようにしておき、操作パネル３５による特定の操作が行われたタイミングで、メモリ３２内に記録された識別データを図２におけるｓ１４０の処理と同様に送信した後、メモリ３２内に記録された配信依頼データを図２におけるｓ１６０の処理と同様に送信するように構成してもよい。
【０１１８】
また、上記実施形態においては、コンテンツ受信端末２０の操作部２５を構成する登録キーを示すデータがメモリ２２内のＩＤテーブルに登録されるように構成されたものを例示した。しかし、ＩＤテーブルに登録されるデータとしては、登録キー以外の操作内容（例えば、登録キー以外のキーを押下、特定の操作手順の実行）を示すデータとしてもよい。この場合、図２におけるｓ１２０の処理による注文操作で各種操作内容を指定できるようにすればよい。
【０１１９】
また、上記実施形態において、コンテンツ受信端末２０は、図５におけるｓ３５０の処理でＩＤが登録されていない場合、サーバ１０にデータを送信することなくコンテンツ出力処理を終了するように構成されたものを例示した。しかし、このｓ３５０の処理の後、コンテンツの配信を受け入れない旨を示す拒否データをサーバ１０に送信してから、コンテンツ出力処理を終了するようにして、この拒否データを図４におけるｓ２３０の処理で受信したサーバ１０が、コンテンツ配信処理を終了させるように構成すればよい。
【０１２０】
［本発明との対応関係］
以上説明した実施形態において、移動端末３０は本発明における利用者端末であり、移動端末３０における操作パネル３５は本発明における利用者側操作手段である。
【０１２１】
また、サーバ１０のＨＤ１３は本発明におけるコンテンツ記録手段である。
また、コンテンツ受信端末２０のメモリ２２は本発明におけるデータ記録手段であり、操作部２５は本発明における受信側操作手段であり、プリンタ部２３は本発明における印刷手段である。
【０１２２】
また、図２におけるｓ１４０の処理は本発明における識別データ送信手段および操作データ送信手段であり、ｓ１６０の処理は本発明における配信依頼手段である。また、ｓ１４０の処理で移動端末３０が送信する識別データは本発明における第２識別データであり、ｓ１６０の処理で移動端末３０が送信する識別データは本発明における第１識別データであり、ｓ１４０の処理で移動端末３０が送信するキーデータは、本発明における操作データである。
【０１２３】
また、図４におけるｓ２２０およびｓ２５０の処理は本発明におけるコンテンツ配信手段である。また、ｓ２２０の処理でサーバ１０が送信する問合データは本発明における第１識別データであり、ｓ２５０の処理で生成されるコンテンツデータのうちコンテンツの位置情報を示すデータは本発明における配信要求データである。
【０１２４】
また、図５におけるｓ３２０の処理は本発明における識別記録指令手段であり、ｓ３４０の処理は本発明における操作記録指令手段であり、ｓ４２０の処理は本発明におけるコンテンツ記録指令手段であり、ｓ４３０の処理は本発明における印刷指令手段である。
【０１２５】
また、図６におけるｓ５２０の処理は本発明における配信要求手段である。
また、図７におけるｓ１６０の処理は本発明における配信依頼手段である。また、ｓ１３２の処理の後で利用者がコンテンツ受信端末２０の操作部２５により入力するＩＤは本発明における第２識別データであり、ｓ１３２の処理の後で利用者がコンテンツ受信端末２０の操作部２５により入力するキー番号を示す文字列は本発明における操作データであり、ｓ１６０の処理で移動端末３０が送信する識別データは本発明における第１識別データである。
【０１２６】
また、図８におけるｓ３２２の処理は本発明における識別記録指令手段であり、ｓ３４２の処理は本発明における操作記録指令手段である。
また、図９におけるｓ４２０の処理は本発明におけるコンテンツ記録指令手段であり、ｓ４３０の処理は本発明における印刷指令手段であり、ｓ４４８の処理は本発明における操作記録指令手段である。また、ｓ４４６の処理で押下された登録キーを示すデータは、本発明における操作データである。
【図面の簡単な説明】
【図１】実施形態におけるコンテンツ提供システムの全体構成を示すブロック図
【図２】配信依頼処理の処理手順を示すフローチャート
【図３】コンテンツ注文ページを示す図
【図４】コンテンツ配信処理の処理手順を示すフローチャート
【図５】コンテンツ出力処理の処理手順を示すフローチャート
【図６】ワンタッチアクセス処理の処理手順を示すフローチャート
【図７】第２実施形態における配信依頼処理の処理手順を示すフローチャート
【図８】第２実施形態におけるＩＤ登録処理の処理手順を示すフローチャート
【図９】第４実施形態におけるコンテンツ出力処理の処理手順を示すフローチャート
【図１０】別の実施形態における配信依頼処理の処理手順を示すフローチャート
【符号の説明】
１，２，３，４・・・コンテンツ提供システム、１０・・・コンテンツサーバ、１１・・・ＣＰＵ、１２・・・メモリ、１３・・・ハードディスク、１４・・・インターフェース部、１５・・・バス、２０・・・コンテンツ受信端末、２１・・・ＣＰＵ、２２・・・メモリ、２３・・・プリンタ部、２４・・・表示部、２５・・・操作部、２６・・・インターフェース部、２７・・・バス、３０・・・移動端末、３１・・・ＣＰＵ、３２・・・メモリ、３３・・・送受話部、３４・・・表示パネル、３５・・・操作パネル、３６・・・通信部。
【図１】
2004272681.tif 000003
【図２】
2004272681.tif 000004
【図３】
2004272681.tif 000005
【図４】
2004272681.tif 000006
【図５】
2004272681.tif 000007
【図６】
2004272681.tif 000008
【図７】
2004272681.tif 000009
【図８】
2004272681.tif 000010
【図９】
2004272681.tif 000011
【図１０】
2004272681.tif 000012